(57)【特許請求の範囲】
【請求項１】
箱体（Ａ）の内方コーナー部に設けられる陥入部（１）の最も低い箱体底面（２）側には箱体（Ａ）の下方に開放されるパチンコ玉の吐出開口（３）を横長に形設し、前記陥入部（１）の下方には前記吐出開口（３）を開閉させるシャッタ蓋（４）を支軸（５）中心に回動可能に枢支して構成するパチンコ玉用玉箱において、前記支軸（５）を導電性材質にして、前記吐出開口（３）を閉じた際に該吐出開口（３）に露出する前記シャッタ蓋（４）の外周面（４ａ）の下部には、前記支軸（５）に接触して延出する導電性の板体（６）の先端部（６ａ）を取付け、前記支軸（５）には該支軸（５）に接触して箱体（Ａ）の下端面（７）に下面が揃うように垂設した導電性部材（８）を取付けて構成したことを特徴とするパチンコ玉用玉箱。
【請求項２】
導電性の板体（６）を２個設けるとともに、両板体（６）（６）の先端部（６ａ）（６ａ）をシャッタ蓋（４）の外周面（４ａ）の両横端部にそれぞれ取付けてなる請求項１記載のパチンコ玉用玉箱。
【請求項３】
板体（６）及び導電性部材（８）をコ字状にそれぞれ形設し、板体（６）の先端部（６ａ）側をシャッタ蓋（４）の外周面（４ａ）側に嵌装するとともに、板体（６）及び導電性部材（８）に支軸（５）を挿着してなる請求項１または２記載のパチンコ玉用玉箱。
【発明の詳細な説明】
【０００１】
【発明の属する技術分野】
本発明は、パチンコ機より受け入れられる帯電したパチンコ玉から有効に放電させることができるパチンコ玉用玉箱に関する。
【０００２】
【従来の技術】
従来、帯電したパチンコ玉がパチンコ機から玉箱に受け入れられて、コンピュータによる計数器に投入した場合に、パチンコ玉に帯電している静電気のため電子回路の演算機能を狂わせて正確な計数ができなくなったり、その玉箱を持ち運ぶ際にパチンコ玉に接触したりすると高い電撃を受けたりすることのないように、玉箱に導電体を設けることは、例えば、実公平３−４３０３号公報、実開平３−１０４３９１号公報、実開平４−１０３１９１号公報、実公平５−２４３９７号公報等に見られるように知られている。
【０００３】
【発明が解決しようとする課題】
しかしながら、それらに見られる導電体は、玉箱の内面から下面にかけて連なるように玉箱自体に取付けられているものであり、例えば特公平６−１１３５３号公報に見られるように、箱体の内方コーナー部に設けられる陥入部の最も低い箱体底面側には箱体の下方に開放されるパチンコ玉の吐出開口を横長に形設し、前記陥入部の下方には前記吐出開口を開閉させるシャッタ蓋を支軸中心に回動可能に枢支して構成するパチンコ玉用玉箱の玉箱自体に、前記従来例のような導電体をそれぞれに示されているように取り付けると、玉箱の構造が複雑化することになって製造コストも大幅にアップしてしまい、また、パチンコ玉が少なくても確実に放電できるように、吐出開口に近くなる最も低い箱体底面の部位に前記従来例のような導電体の先端部を取り付けたりすると、シャッタ蓋を開いてパチンコ玉を下方の計数器に吐出させる場合、残る幾つかのパチンコ玉が導電体に当たってスムーズに吐出されなくなり、パチンコ玉の排出性が悪くなる、といった不具合を呈することになる。
【０００４】
【課題を解決するための手段】
本発明の第１の目的は、そのような不具合を解決し、箱体の内方下部に設けたシャッタ蓋に導電性の各部材を、パチンコ玉の放電が確実良好に行なわれてパチンコ玉全てを自動的に吐出させることができるよう、有効に取付け可能とするものであり、そのため、箱体の内方コーナー部に設けられる陥入部の最も低い箱体底面側には箱体の下方に開放されるパチンコ玉の吐出開口を横長に形設し、前記陥入部の下方には前記吐出開口を開閉させるシャッタ蓋を支軸中心に回動可能に枢支して構成するパチンコ玉用玉箱において、前記支軸を導電性材質にして、前記吐出開口を閉じた際に該吐出開口に露出する前記シャッタ蓋の外周面の下部には、前記支軸に接触して延出する導電性の板体の先端部を取付け、前記支軸には該支軸に接触して箱体の下端面に下面が揃うように垂設した導電性部材を取付けて構成したものである。
【０００５】
本発明の第２の目的は、２個の導電性の板体をシャッタ蓋に、パチンコ玉が少量であっても確実に放電させうるよう、有効に取付け可能とするものであり、そのため、導電性の板体を２個設けるとともに、両板体の先端部をシャッタ蓋の外周面の両横端部にそれぞれ取付けたものである。
【０００６】
本発明の第３の目的は、導電性の板体と部材をシャッタ蓋及び支軸に、放電が確実に行なわれて容易に組付けることができるよう有効に取付け可能とするものであり、そのため、板体及び導電性部材をコ字状にそれぞれ形設し、板体の先端部側をシャッタ蓋の外周面側に嵌装するとともに、板体及び導電性部材に支軸を挿着してなるものである。
【０００７】
【発明の実施の形態】
Ａはパチンコ玉用玉箱である箱体を示し、該箱体Ａの両横端部の上部には把持部９、９をそれぞれ形設し、パチンコ店における各パチンコ機の下方に架設した天板１０上に載置して、パチンコ機の下皿から排出されるパチンコ玉を受け入れることができるとともに、パチンコ店内に設備した計数器のところまで持参して、該計数機の玉受けホッパー部の上方に箱体Ａを載置して、該箱体Ａからパチンコ玉を下方に排出して計数できるようにしたものである。
【０００８】
前記箱体Ａの側壁１１の下方側コーナー部から、上方周面１ａが円弧断面となる陥入部１を内方に突設し、前記上方周面１ａの下端側には、最も低い箱体底面２の部位に下縁が一致して陥入部１の横幅一杯に横長となるパチンコ玉の吐出開口３を形設するとともに、該吐出開口３は箱体Ａの下方に開放されるように形設し、前記陥入部１の中央部には開蓋突起１２を突設して構成する。
【０００９】
前記陥入部１の下方側内方には、前記吐出開口３を開閉させる円弧断面の外周面４ａを有したシャッタ蓋４を両支軸５、５中心に回動可能に枢支するが、シャッタ蓋４の両端部から直角に屈折されて延出する両アーム４ｂ，４ｂの後端部には軸孔１３、１３をそれぞれ形設し、外周面４ａの横幅方向中間部の下部からは前記開蓋突起１２の上部に衝合できる突片１４を突設し、両アーム４ｂ、４ｂの外側面下部から外周面４ａの両端側前面の下部にかけて凹部１５、１５をそれぞれ形設するとともに、外周面４ａの両端側前面の下部には孔１６、１６をそれぞれ形設し、両アーム４ｂ，４ｂの内側面の前方下部には支受片１７、１７をそれぞれ一体的に形設して、前記箱体Ａと同様に樹脂材により構成する。
【００１０】
前記陥入部１の両横側方に箱体Ａの下端面７に一致するよう垂設したリブ１８、１８の下端縁には切欠部１９をそれぞれ形設するとともに、該切欠部１９の上方部に軸孔２０を形設し、該軸孔２０および前記シャッタ蓋４の軸孔１３に嵌装する前記支軸５を導電性材質にして、該支軸５の先端部には、一端部２１ａが前記支受片１７上に係合するとともに他端部２１ｂが前記陥入部１の下方側内方部に係合して外周面４ａが吐出開口３を閉じるようにシャッタ蓋４を下方に弾圧付勢するトルクばね２１を嵌装し、また、支軸５の先端にスナップリング２２を係合して構成する。
【００１１】
前記シャッタ蓋４の両アーム４ｂ、４ｂにはコ字状に屈折されて長く延長する導電性の金属製板体６をそれぞれ取付けるが、先端部６ａがシャッタ蓋４の外周面４ａの横端部下方に位置してその先端部６ａから板体６の一端側が凹部１５に嵌合するとともに、板体６の他端側が孔１６に嵌装されて、板体６の後端部に形設された孔２３に前記支点軸５が接触して嵌挿されるように取付け、また、両支軸５、５には該支軸５に接触して箱体Ａの下端面７に下面が揃うように垂設した導電性部材８、８をそれぞれ取付けるが、該導電性部材８は金属製でコ字状に屈折するとともに支軸５が嵌装される孔２４を形設し、導電性部材８の下面をリブ１８の下方の切欠部１９に嵌合して導電性部材８をリブ１８に取付ける。
【００１２】
したがって、両板体６、６の先端部６ａ、６ａがシャッタ蓋４の外周面４ａの両横端部の下部側に位置して嵌装されるように両板体６、６を両アーム４ｂ、４ｂに沿うようにそれぞれ取付け、両アーム４ｂ、４ｂの横外側方に位置するリブ１８、１８の部位には、下面が切欠部１９に嵌合して箱体Ａの下端面７に揃うようにした両導電性部材８、８をそれぞれ取付け、両支軸５、５を導電性部材８の孔２４、リブ１８の軸孔２０、板体６の孔２３、アーム４ｂの軸孔１３にそれぞれ嵌挿するとともに、支軸５の先端部にトルクばね２１を嵌装してスナップリング２２を係合させると、簡単に組付けることができる。
【００１３】
前記のように構成した玉箱をパチンコ機の下方の天板１０上に載置しておくと、両導電性部材８、８の下面が天板１０の上面に接触することになって、図１ないし図４及び図９に示すように、トルクばね２１、２１によりシャッタ蓋４が下方に弾圧されるとともにシャッタ蓋４の外周面４ａが吐出開口３を閉じることになるが、パチンコ機から箱体Ａに受け入れられるパチンコ玉が少量であっても、最も低い箱体底面２の部位に両板体６、６の先端部６ａ、６ａが面しているのでパチンコ玉が必ず接触することになって、帯電したパチンコ玉から板体６、支軸５、導電性部材８を通し天板１０に放電されることになり、箱体Ａに多量のパチンコ玉が受け入れられても、板体６、６の先端部６ａ、６ａに接触するパチンコ玉に全てのパチンコ玉が接触するので全てのパチンコ玉からは確実に放電されることになる。
【００１４】
なお、客が獲得したパチンコ玉を精算する場合には、店内に設備された計数器のところに玉箱を持参して、従来同様に玉箱を計数器のホッパー部の上方に置くと、ホッパー部に設けられた突起に突片１４の下面が当たって、トルクばね２１に抗張してシャッタ蓋４が上方に回動させられながら、図１０に示すように吐出開口３が開口させられることになり、箱体Ａ内のパチンコ玉は吐出開口３から計数器へ排出させられて計数できることになり、また、その箱体Ａの上方に別の箱体Ａを積み重ねると、下の箱体Ａの開蓋突起１２が上の箱体Ａの突片１４の下面に当たって上の箱体Ａのシャッタ蓋４を開かせることができることになって、上の箱体Ａ内のパチンコ玉を下の箱体Ａの陥入部１上に排出させることができる。
【００１５】
【発明の効果】
このように本発明は、支軸（５）を導電性材質にして、陥入部（１）の最も低い箱体底面（２）側に設けられた吐出開口（３）を閉じた際に該吐出開口（３）に露出するシャッタ蓋（４）の外周面（４ａ）の下部に、前記支軸（５）に接触して延出する導電性の板体（６）の先端部（６ａ）を取付け、前記支軸（５）には該支軸（５）に接触して箱体（Ａ）の下端面（７）に下面が揃うように垂設した導電性部材（８）を取付けて構成したので、玉箱をパチンコ機の下方の天板上に載置した場合には導電性部材（８）の下面が天板上面に確実に接触できることになり、箱体（Ａ）に受け入れられるパチンコ玉が少量であっても板体（６）の先端部（６ａ）にそのパチンコ玉の幾つかが必ず接触することになって板体（６）、支軸（５）、導電性部材（８）を通して天板に確実良好に放電することができることになり、シャッタ蓋（４）及び支軸（５）に導電性の板体（６）及び導電性部材（８）を取付ける簡単な構造にして製造コストの大幅アップを抑制し好適に実施できる特長を有する。
【００１６】
前記導電性の板体（６）を２個設けるとともに、両板体（６）（６）の先端部（６ａ）（６ａ）をシャッタ蓋（４）の外周面（４ａ）の両横端部にそれぞれ取付けると、２個の導電性の板体（６）（６）をシャッタ蓋（４）に、パチンコ玉が少量であっても確実に放電させうるよう、有効に取付けることができ、簡単な構造にして好適に実施できる。
【００１７】
また、前記板体（６）及び導電性部材（８）をコ字状にそれぞれ形設し、板体（６）の先端部（６ａ）側をシャッタ蓋（４）の外周面（４ａ）側に嵌装するとともに、板体（６）及び導電性部材（８）に支軸（５）を挿着すると、導電性の板体（６）と部材（８）をシャッタ蓋（４）及び支軸（５）に、放電が確実に行なわれて容易に組付けることができるよう有効に取付けることができることになり、シャッタ蓋（４）を有る玉箱に好適に実施できる。
【図面の簡単な説明】
【図１】玉箱を示した平面図である。
【図２】玉箱を示した底面図である。
【図３】玉箱を斜め上方より示した斜視図である。
【図４】図３の一部を拡大して示した斜視図である。
【図５】玉箱の一部を拡大して示した背面図である。
【図６】図５の一部を分解して示した分解図である。
【図７】シャッタ蓋を示した斜視図である。
【図８】図７を分解して示した斜視図である。
【図９】図１のＩ−Ｉ線断面を示した断面図である。
【図１０】図９の一部で示した作動説明図である。
【符号の説明】
Ａ      箱体
１      陥入部
２      箱体底面
３      吐出開口
４      シャッタ蓋
４ａ    外周面
５      支軸
６      板体
６ａ    先端部
７      下端面
８      導電性部材
【図１】
0003768269.tif 000002
【図２】
0003768269.tif 000003
【図３】
0003768269.tif 000004
【図４】
0003768269.tif 000005
【図５】
0003768269.tif 000006
【図６】
0003768269.tif 000007
【図７】
0003768269.tif 000008
【図８】
0003768269.tif 000009
【図９】
0003768269.tif 000010
【図１０】
0003768269.tif 000011